(57)【要約】【課題】化粧パネルを壁下地材に固定してなる壁構造の表面側に電気機器を取り付ける際、化粧パネルの表面側に電源コードが配設された壁構造を提供する。【解決手段】表面側に電気機器９が取り付けられる化粧パネル１を壁下地材４に固定してなる壁構造において、上記化粧パネル１の表面に電源コード７の係合保持部を設けてなる。好ましくは、上記電源コード７の係合保持部は、先端にコネクター８を装着した電源コード７の該コネクター８が化粧パネル１の裏面側から表面側には貫通するが、表面側から裏面側には貫通しない構造とされる。【選択図】図２
2010077643.tif 000002
【特許請求の範囲】
【請求項１】
表面側に電気機器が取り付けられる化粧パネルが壁下地材に固定されてなる電気機器取り付け壁構造において、上記壁下地材の表側には壁裏から導出される先端にコネクターが装着された電源コードが配設されており、上記化粧パネルには表裏に貫通して上記コネクターが所定の向き又は所定の位置においてのみ上記電源コードと共に挿通される係合保持部を設けてなる電気機器取り付け壁構造。
【請求項２】
上記係合保持部は上記コネクターが所定の向きにおいてのみ上記電源コードと共に挿通されるものであり、上記化粧パネルの上部端縁に上方へ開口した切り欠き状に形成されたものである請求項１に記載の電気機器取り付け壁構造。
【発明の詳細な説明】
【技術分野】
【０００１】
本願発明は屋内に設置される壁構造に関し、さらに詳しくは、壁下地材に化粧パネルを重ね合わせて固定し、この化粧パネルに電気機器を取り付ける際に用いる電気機器取り付け壁構造に関するものである。
【背景技術】
【０００２】
通常、マンション、戸建住宅等、一般住宅においては、構造用合板、石膏ボード等の壁下地材は間柱、胴縁等を介して躯体に固定され、この壁下地材に化粧パネルを取り付けることが行われている。上記化粧パネルとしては、例えば、合板、ＭＤＦ、ハードボード、パーティクルボード等を基材とし、これらの表面に突き板、あるいは木目柄、石目柄、抽象柄等の任意柄模様が印刷された化粧シートを貼着して複合化したパネルが使用されている。
【０００３】
上記化粧パネルは、部屋の内壁としても用いられるため、化粧パネルの表面側に照明装置、サウンド装置、ファン等の電気機器が取り付けられることが多い。このとき、電気機器を作動させるための電源コードを露出して配線することは外観的に好ましくないため、通常、壁下地材の裏、いわゆる壁裏を通して電源コードは配線される。そして、上記電源コードは、予め、壁下地材に設けられた開口部および化粧パネルに穿たれた開口部を貫通し、電源コードの端部に取り付けられたコネクターを化粧パネルの表面側に配設し、上記電気機器類の電源コネクターと接続することが行われている。このとき、上記電源コードの配線、各開口部からのコネクターの引き出し等の工事は、壁下地施工業者、化粧パネルを施工する内装業者、電気工事業者等、複数の業者がそれぞれ工程別に施工する。
【０００４】
そこで、例えば、壁裏配線からコネクターを装着した電源コードを壁下地材に設けられた開口部から引き出した後に、また上記電源コードを化粧パネルの表面側に配設した後、照明装置等の電気機器の電源コネクターと接続する間にそれぞれ空白期間が生じる場合がある。この間に、例えば、壁下地材に設けられた開口部から、コネクター付き電源コードが壁裏に落下した場合は、比較的に安価な壁下地材を解体してコネクター付き電源コードを取出す等、壁下地材の復旧は容易に行うことができる。しかし、化粧パネルを貼着した後、上記電源コードが何らかの原因で壁裏に落下した場合、再び、電源コードを引き出し、コネクターを化粧パネルの表面側に配設するには、施工のやり直し等、多大の手間とコストを要し、工期の遅れにつながるという問題がある。
【０００５】
一方、特開平８−２６０６７７号公報には、既設の床において、スラブに敷きつめて二重床を構成すると共に床配線をするのに用いる配線用床材と、この配線用床材に配線器具を装着した床配線装置に関する技術が開示されている。
【０００６】
すなわち、床材本体に表面側が開口された配線用の凹溝が設けられ、この凹溝を閉塞するために凹溝の上面開口に被着される蓋体が床材本体の表面と面一になるようにするために蓋体を受ける段部が凹溝の開口縁に設けられ、スラブ上に床材本体を敷きつめることにより施工される配線用床材おいて、接続器、開閉器等の配線器具を取り付ける器具取付板を装着保持するためのスリットが上記配線用の凹溝の段部から凹溝の下端に達するように凹溝の両側面に設けられたことを特徴とする配線用床材が提案されている。
【０００７】
そして、接続器、開閉器等の配線器具を取り付ける器具取付板を装着保持するためのスリットが配線用の凹溝の段部から凹溝の下端に達するように凹溝の両側面に設けられているため、スリットを利用して配線器具を取り付けることにより、配線器具を水平に加わる力に対して十分な固定強度で固定できるとともに、またスリットに差し込むことで簡単に配線器具を取り付けることができるため、配線器具の移設も容易にできると、その効果が記載されている。
【特許文献１】特開平８−２６０６７７号公報
【発明の開示】
【発明が解決しようとする課題】
【０００８】
しかしながら、上記特許文献１に記載の技術は、接続器、開閉器等の配線器具を既設の床に簡単に取り付け、また移設することができる床構造に関するものであり、一般家庭における室内の壁に電気機器を取り付ける電気機器取り付け壁構造に直ちに適用できるものとはいえない。
【０００９】
本願発明は上記背景技術に鑑みてなしたものであり、その目的は、化粧パネルを壁下地材に固定してなる電気機器取り付け壁構造の表面側に電気機器を取り付ける際、容易に、かつ、確実に電気機器を作動させる電源コードを化粧パネルの表面に配設するための電気機器取り付け壁構造を提供することである。
【課題を解決するための手段】
【００１０】
上記課題を解決するために、本願請求項１に記載の発明に係る電気機器取り付け壁構造は、表面側に電気機器が取り付けられる化粧パネルが壁下地材に固定されてなる電気機器取り付け壁構造において、上記壁下地材の表側には壁裏から導出される先端にコネクターが装着された電源コードが配設されており、上記化粧パネルには表裏に貫通して上記コネクターが所定の向き又は所定の位置においてのみ上記電源コードと共に挿通される係合保持部を設けてなることを特徴としている。上記電気機器としては、照明装置、サウンド装置、ファン等各種のものをあげることができる。
【００１１】
本願請求項２に記載の発明は、上記請求項１に記載の電気機器取り付け壁構造において、上記係合保持部は上記コネクターが所定の向きにおいてのみ上記電源コードと共に挿通されるものであり、上記化粧パネルの上部端縁に上方へ開口した切り欠き状に形成されたものであることを特徴としている。
【発明の効果】
【００１２】
本願請求項１記載の発明に係る電気機器取り付け壁構造においては、表面側に電気機器が取り付けられる化粧パネルが壁下地材に固定され、上記壁下地材の表側には壁下地材の裏（壁裏）から導出される先端にコネクターが装着された電源コードが配設されており、電源コードは壁裏に隠蔽して配線されるので、見映えよく化粧パネルの表面に電気機器を取り付けることができる。
【００１３】
しかも、上記化粧パネルには表裏に貫通して上記コネクターが所定の向き又は所定の位置においてのみ上記電源コードと共に挿通される係合保持部が設けられているので、コネクターを所定の向き又は所定の位置にして上記電源コードと共に係合保持部に挿通させて化粧パネルの表側に導出させることができ、その後には、コネクターを所定の向き又は所定の位置にしない限りコネクターが係合保持部に係止して、コネクター及び電源コードが壁裏へと落下してしまうことを防止することができ、電気工事等の施工をスムースに進めることができて電源コードと電気機器とを作業性よく接続することができる。
【００１４】
本願請求項２記載の発明に係る電気機器取り付け壁構造においては、特に、上記係合保持部が上記化粧パネルの上部端縁に上方へ開口した切り欠き状に形成されているため、電源コードを係合保持部に上方から容易に係止させることができ、その後、化粧パネルが壁下地材に固定された状態では、コネクターを所定の向きにしない限りコネクターが係合保持部に係止するので、コネクター及び電源コードが壁裏へと落下してしまうことを防止することができる。
【発明を実施するための最良の形態】
【００１５】
以下、本願発明に係る電気機器取り付け壁構造の実施形態について図面を参照して詳細に説明する。図１は本願発明の実施形態における壁下地施工工程を示す説明図である。図１において、構造用合板、石膏ボード等からなる壁下地材４は、躯体６に固定された胴縁５に釘、ビス等の固着手段により固着されている。ここで、壁下地材４には、予め、決められた位置付近に開口部４１が穿たれ、壁下地材４の裏面に配線され、コネクター８が装着された電源コード７は上記開口部４１を貫通して先行配線されている。また、上記電源コード７の他端は図外電源に接続されている。
【００１６】
図２は上記先行配線された壁下地材４に化粧パネル１を施工するとともに、コネクター８が装着された電源コード７を貫通させる本願発明の第１実施形態に係る電気機器取り付け壁構造を示す分解説明図である。図２に示すように、例えば、ＭＤＦ（中密度繊維板）に木目模様の印刷シートが貼着された化粧パネル１には壁下地材４に設けられた開口部４１に対応する位置に鍵穴状係合保持部２が設けられている。
【００１７】
上記鍵穴状係合保持部２はコネクター８が貫通する大径孔部２１と上記電源コード７の径よりもやや大きな幅を有する小幅孔部２２とから形成され、壁下地材４に先行配線された電源コード７は、化粧パネル１の裏面側から上記大径孔部２１を通してコネクター８を貫通させ、化粧パネル１の表面側に電源コード７と共に配設される。その後、化粧パネル１を上記壁下地材４に釘、接着剤等の固着手段により固着する。このようにして、本願第１実施形態に係る電気機器取り付け壁構造を実施することができる。
【００１８】
すなわち、この電気機器取り付け壁構造は、表面側に電気機器９（図６参照）が取り付けられる化粧パネル１が壁下地材４に固定されてなる電気機器取り付け壁構造において、上記壁下地材４の表側には壁裏から導出される先端にコネクター８が装着された電源コード７が配設されており、上記化粧パネル１には表裏に貫通して上記コネクター８が所定の位置（大径孔部２１の位置）においてのみ上記電源コード７と共に挿通される係合保持部（鍵穴状係合保持部２）を設けてなるものである。
【００１９】
図３は、本願第１実施形態に係る電気機器取り付け壁構造を示す外観斜視図である。図３に示されているように、化粧パネル１の表面側にコネクター８付きの電源コード７が配設され、電源コード７が鍵穴状係合保持部２の小幅孔部２２に係合、保持されている。
【００２０】
図３に示すように、上記小幅孔部２２に電源コード７はしっかりと係合され、この状態で電気機器を取り付ける工程との間に空白期間が生じても、その間に物理的に外部から力を加えて電源コード７を小幅孔部２２から取り外さない限り、電源コード７はしっかりと係合、保持される。そして、電気機器取り付け工程に入るまで、電源コード７が壁下地材４の裏に落下する危険をなくすことができる。
【００２１】
したがって、この電気機器取り付け壁構造においては、壁下地材４の表側には壁下地材４の裏（壁裏）から導出される先端にコネクター８が装着された電源コード７が配設されており、電源コード７は壁裏に隠蔽して配線されるので、見映えよく化粧パネル１の表面に電気機器９（図６参照）を取り付けることができる。
【００２２】
しかも、化粧パネル１には表裏に貫通してコネクター８が所定の位置（大径孔部２１の位置）においてのみ電源コード７と共に挿通される係合保持部（鍵穴状係合保持部２）が設けられているので、コネクター８を所定の位置にして電源コード７と共に鍵穴状係合保持部２の大径孔部２１に挿通させて化粧パネル１の表側に導出させることができ、その後には、コネクター８を所定の位置にしない限りコネクター８が鍵穴状係合保持部２の小幅孔部２２に係止して、コネクター８及び電源コード７が壁裏へと落下してしまうことを防止することができ、電気工事等の施工をスムースに進めることができて電源コード７と電気機器９とを作業性よく接続することができる。
【００２３】
図４は、第１実施形態と同様に、壁下地施工工程を終了した後、化粧パネル１の上部端縁に電源コード７を係合する切り欠き係合保持部３を設けた本願発明の第２実施形態に係る電気機器取り付け壁構造を示す分解説明図である。図５は、本願発明の第２実施形態に係る電気機器取り付け壁構造を示す外観斜視図である。
【００２４】
すなわち、この電気機器取り付け壁構造において、係合保持部（切り欠き係合保持部３）はコネクター８が所定の向きにおいてのみ電源コード７と共に挿通されるものであり、化粧パネル１の上部端縁に上方へ開口した切り欠き状に形成されている。
【００２５】
図５に示されるように、上記切り欠き係合保持部３は幅ｗのスリットからなり、このスリットを通して、コネクター８が挿通し、係合、保持される。このとき、スリットの幅ｗは電源コード７への取付部のコネクター８の短辺ａの長さよりも大きく、コネクター８の長辺ｂの長さより小さくされている。
【００２６】
このようにして、コネクター８の短辺ａを立てた状態で切り欠き係合保持部３を通して電源コード７を貫通させることにより、上記電源コード７は切り欠き係合保持部３にしっかりと係合される。そして、コネクター８を約直角に曲げておくことにより、万一コネクター８を壁下地材４の裏に引き込む力が働いても、コネクター８の長辺ｂがストッパーとして機能し、壁裏に落ち込むことを防げる。
【００２７】
したがって、この電気機器取り付け壁構造においては、係合保持部（切り欠き係合保持部３）が化粧パネル１の上部端縁に上方へ開口した切り欠き状に形成されているため、電源コード７を切り欠き係合保持部３に上方から容易に係止させることができ、その後、化粧パネル１が壁下地材４に固定された状態では、コネクター８を所定の向きにしない限りコネクター８が切り欠き係合保持部３に係止するので、コネクター８及び電源コード７が壁裏へと落下してしまうことを防止することができる。
【００２８】
また、上記コネクター８と図外電気機器の電源コネクターとを接続した後、上記鍵穴状係合保持部２の大径孔部２１、あるいは、切り欠き係合保持部３のスリットから、上記コネクター８を接続状態で意図的に壁裏に落とし込むことにより、電気機器内にコネクター８を収容するスペースを設ける必要がなく、電気機器の設計の自由度を高めることができる。
【００２９】
図６は本願発明に係る電気機器取り付け壁構造を用いて化粧パネル１の表面に電気機器９としての照明器具を取り付けた状態を示す外観斜視図である。図６に示されているように、化粧パネル１の表面に配線類は見えず隠蔽配線とされ、見映えよく照明器具を取り付けることができる。
【００３０】
なお、上記実施形態においては、化粧パネル１の表面にコネクター８付きの電源コード７を配設する例について述べたが、化粧パネル１として、温水パイプや面状電気ヒーター等が内部に設けられた暖房用化粧パネルを用い、その表面に電源コード７を配設してもよい。このように本願発明に係る電気機器取り付け壁構造は設計変更自在であり、特許請求の範囲を逸脱しない限り、いずれの場合も本願発明の技術的範囲に属する。
【図面の簡単な説明】
【００３１】
【図１】本願発明に係る電気機器取り付け壁構造の実施形態において、壁下地施工工程を示す斜視図。
【図２】本願発明の第１実施形態に係る電気機器取り付け壁構造を示す分解斜視図。
【図３】本願発明の第１実施形態に係る電気機器取り付け壁構造を示す外観斜視図。
【図４】本願発明の第２実施形態に係る電気機器取り付け壁構造を示す分解斜視図。
【図５】本願発明の第２実施形態に係る電気機器取り付け壁構造を示す外観斜視図。
【図６】本願発明に係る電気機器取り付け壁構造を用いて化粧パネルの表面に電気機器としての照明器具を取り付けた状態を示す外観斜視図。
【符号の説明】
【００３２】
１      化粧パネル
２      鍵穴状係合保持部
２１    大径孔部
２２    小幅孔部
３      切り欠き係合保持部
４      壁下地材
４１    開口部
５      胴縁
６      躯体
７      電源コード
８      コネクター
ａ      コネクターの短辺
ｂ      コネクターの長辺
９      電気機器
【図１】
2010077643.tif 000003
【図２】
2010077643.tif 000004
【図３】
2010077643.tif 000005
【図４】
2010077643.tif 000006
【図５】
2010077643.tif 000007
【図６】
2010077643.tif 000008